(57)【特許請求の範囲】
【請求項１】
無線綴じにより製本する見本帳において、背表紙に裏側から止め具を介して把手を取り付けると共に、この背表紙に接着する台紙のうち上記止め具と干渉する台紙の綴じ側側縁の上記止め具と対応する位置に切り欠き部を設けたことを特徴とする把手付き見本帳。
【請求項２】
全ての台紙に切り欠き部を設けた請求項１に記載の把手付き見本帳。
【請求項３】
上記背表紙に接着する台紙は、その台紙側縁への接着剤の塗布工程において、台紙の進行方向と逆の方向に接着剤の塗布ローラーを回転させることで、上記切り欠き部の後端にも接着剤を塗布した台紙である請求項１または請求項２に記載の把手付き見本帳。
【発明の詳細な説明】
【０００１】
【発明の属する技術分野】
この発明は、壁紙やカーテン、カーペットなどの生地の見本帳に関するもので、特に無線綴じにより製本された見本帳の背表紙に持ち運び用の把手を取り付けた見本帳に関するものである。
【０００２】
【従来の技術】
従来から、見本帳やアルバムなど、台紙にカーペット地や写真などの厚味のある被貼着物を貼り付けるようにした冊子類では、例えば実公昭６３−２５１７６号公報や特開２０００−３４３８５６号公報に開示されているように、台紙相互間に被貼着物の厚味に応じた間隔を空けて、無線綴じ方式によって製本したものが知られている。この無線綴じ方式によって、従前の金属製綴じ金具を使用したファイリング形式に比べて軽量且つ簡便に見本帳が製作できるようになった。
【０００３】
これらの代表的なものを図示すると、図４は無線綴じによる見本帳の背表紙部分の断面図であるが、図において、１１は背表紙、１２、１２は背表紙１１に連設した表裏の表紙である。１３…１３は見本片（図示せず）を貼付する複数の台紙であって、台紙相互間にスペーサー１４…１４を挟むことで互いに所定の間隔を空けて、熱溶融性接着剤１５によって背表紙１１に接着したものである。なお、スペーサー１４…１４は接着剤の冷却固化後に取り除く。
【０００４】
また、図５は無線綴じにおける熱溶融性接着剤の塗布工程の説明図であって、相互間にスペーサー１４を介在させた台紙１３の束を、台紙の進行方向（矢印）と同じ方向に回転している接着剤を塗布するための塗布ローラー１６上で移動させ、台紙１３の綴じ側側縁に接着剤を均一に塗布するようにしたものである。接着剤の塗布後、台紙側縁を背表紙に接着することによって無線綴じ製本が完成する。
【０００５】
【発明が解決しようとする課題】
ところで、見本帳は、数多くの見本片を貼り付けるため台紙自体が大きく、ページ数も多いため比較的大きなものとなる。また、被貼着物の重量もあって、通常のファイルと比べて重い。そのため、施主などの顧客を訪問する営業員にとって、見本帳の持ち運びは大変で、持ち運び用の把手がないと不便であった。そのため、例えば実公平４−４０２２７号公報や特開２０００−３４３８６８号公報に開示されているように、背表紙に把手を設けたものが提案されている。
【０００６】
しかし、無線綴じ製本の見本帳に持ち運び用の把手を取り付ける場合、背表紙に直接把手を取り付けようとすると、図６に示すように把手１７を背表紙１１に固定するためのビスなどの止め具１８が背表紙１１の裏側に突出するので、製本がうまくできないという問題があった。即ち、一部の台紙１３の側縁と止め具１８が干渉して台紙が傾いてしまい、台紙が不揃いとなってしまうのである。また、無線綴じのために止め具１８の突出をなくそうとすると、把手の取り付け構造が複雑となってしまい、素材の簡素化や軽量化といった無線綴じの長所に反するものとなる。
【０００７】
本発明は、かかる課題に対してなされたもので、無線綴じ製本の長所を生かすと共に持ち運びが便利となるように、無線綴じ製本に対して把手を取り付け可能とした見本帳の構造を提案するものである。
【０００８】
【課題を解決するための手段】
上記従来の課題を解決するため、本発明は、無線綴じにより製本する見本帳において、背表紙に裏側から止め具を介して把手を取り付けると共に、この背表紙に接着する台紙のうち上記止め具と干渉する台紙の綴じ側側縁の上記止め具と対応する位置に切り欠き部を設けるという手段を採用した。
【０００９】
かかる手段を採用したことによって、把手を取り付けるための止め具と台紙が干渉することを防止し、台紙が不揃いとなることがなく、台紙の束と背表紙を確実に接着できるようになるものである。
【００１０】
なお、この場合、全ての台紙に切り欠き部を設けても同様に止め具との干渉を防止でき、また、一種類の台紙のみで製本できるようになる。
【００１１】
次に、上記背表紙に接着する台紙は、その台紙側縁への接着剤の塗布工程において、台紙の進行方向と逆の方向に接着剤の塗布ローラーを回転させることで、上記切り欠き部の後端にも接着剤を塗布した台紙であるという手段を採用した。
【００１２】
かかる手段によれば、塗布ローラー上を台紙が通過する場合、台紙側縁に均一に接着剤が塗布されると共に、切り欠き部においては接着剤が塗布ローラー上に残るので、切り欠き部の後端に塗布ローラー上に残った接着剤が大量に塗布されることになり、背表紙に接着する際に、この接着剤が垂れ下がり、台紙と背表紙をより強固に接着するものである。
【００１３】
【発明の実施の形態】
以下、本発明にかかる見本帳の好ましい実施形態を図面に従って説明する。図１（Ａ）は見本帳の部分切欠側面図、同（Ｂ）は部分断面図である。図１において、１は見本帳の背表紙、２、２は背表紙に連設した表裏の表紙である。３は把手であって、背表紙１の裏側から例えば止めビス４…４によって背表紙１に直接取り付けたものである。５は見本片（図示せず）を貼り付ける台紙であって、熱溶融性接着剤６によって背表紙１に接着するものであるが、複数の台紙のうち、少なくとも上記止めビス４と干渉する台紙については、その台紙５の綴じ側側縁の止めビス４と対応する部分を切除して切り欠き部５ａを設けたものである。７は台紙相互の間隔を一定の大きさに維持するためのスペーサーであり、台紙の接着後は取り除く。
【００１４】
なお、止めビス４と干渉しない台紙５については必ずしも切り欠き部は必要ではないが、台紙の規格統一のため全ての台紙に切り欠き部を設けてもよい。
【００１５】
見本帳を上記の如き台紙によって構成すれば、背表紙１に把手３を取り付けても台紙５と把手３の止めビス４が干渉することはなく、台紙の揃った美麗な見本帳を提供できる。
【００１６】
次にこの見本帳の製造過程について説明すると、図２、図３は台紙５の綴じ側側縁に熱溶融性接着剤６を塗布する工程の概略を示すものである。図２において５…５は台紙であって、上述したように一部の台紙には綴じ側側縁に切り欠き部５ａを設けている。７…７はスペーサーであって、前の工程で台紙５の相互間に介在させて台紙相互の間隔を一定の大きさに維持するようにしたものである。８は熱溶融性接着剤の液槽（図示せず）に半分浸漬した塗布ローラーである。接着剤の塗布は台紙５の束を塗布ローラー８上で矢印方向に進行させて行うものであるが、このとき塗布ローラー８は図に矢印で示すように台紙５の進行方向とは逆の方向に回転させるようにする。
【００１７】
このときの接着剤の塗布状態を図３で説明すると、図３（Ａ）に示すように、台紙５の進行方向と逆方向に回転する塗布ローラー８上を台紙５が通過すると、台紙側縁に接着剤６が均一に塗布されるが、切り欠き部５ａにおいては塗布されず塗布ローラー８上に接着剤６が残る。そのまま台紙が進行すると切り欠き部５ａの後端において台紙側縁と塗布ローラー８が再び接触し、接着剤６の塗布が開始される。このとき塗布ローラー８上に塗布されなかった接着剤６が残っているので、同図（Ｂ）に示すように、その余剰の接着剤６は各切り欠き部５ａの後端に大量に残って塗布されることになる。なお、切り欠き部５ａのない通常の台紙にはその側縁に均一に接着剤が塗布される。
【００１８】
このように接着剤６を塗布した台紙５の束を背表紙１の裏側に接着するのであるが、この場合、切り欠き部５ａがあるので台紙５と止めビス４とは干渉することなく台紙を接着することができ、同時に切り欠き部５ａの後端に残った接着剤６は自重で下方に垂れて移動し、図１（Ａ）に示すように止めビス４の一部を覆うようになって固化する。従って、台紙５の側縁と背表紙１の裏側が強固に接着されるのは勿論、切り欠き部５ａの端部でも台紙５と背表紙１が接着し、両者が相俟って台紙５と背表紙１は強固に接着できることになる。
【００１９】
なお、上記見本帳の製造過程において、上述した接着剤の塗布工程以外の工程については、従前の工程をそのまま採用できる。
【００２０】
【発明の効果】
以上述べたように、本発明にかかる見本帳は、無線綴じにより製本する見本帳において、背表紙に止めビスで把手を取り付ける場合、台紙の上記止めビスと干渉する位置に切り欠き部を設けて製本したものであるから、背表紙に台紙の束を接着する場合に、台紙と止めビスが干渉することがなく、台紙が揃った状態で接着でき、美麗な見本帳を提供することができる。従って、簡単な構成で把手付きの見本帳を安価に提供できると共に、営業員にとって持ち運びが非常に便利になる。更に見本帳を廃棄する場合にも、余分な部品等がないから、そのまま消却できて環境に配慮したものとなっている。
【００２１】
なお、全ての台紙に切り欠き部を設けた場合には、使用する台紙が一種類でよいから、丁合によって切り欠き部と止めビスの位置関係を調整することが省略できる。
【００２２】
また、かかる見本帳の台紙の綴じ側側縁の接着剤は、塗布ローラーを台紙の進行方向と逆方向に回転させて塗布されたものであるので、切り欠き部を有する台紙においては、切り欠き部の後端に大量に接着剤が残り、背表紙との接着時にこの余分な接着剤が背表紙側に垂れて強固な接着力を得ることができる。
【図面の簡単な説明】
【図１】（Ａ）は本発明にかかる見本帳の部分切欠側面図、（Ｂ）は見本帳の部分断面図である。
【図２】接着剤の塗布工程の概略を示す説明図である。
【図３】接着剤の塗布の状態を示す説明図である。
【図４】従来の見本帳の部分断面図である。
【図５】従来の見本帳の接着剤の塗布工程の概略を示す説明図である。
【図６】台紙と止めビスの干渉の状態を示す説明図である。
【符号の説明】
１    背表紙
２    表紙
３    把手
４    止めビス
５    台紙
５ａ  切り欠き部
６    熱溶融性接着剤
７    スペーサー
８    塗布ローラー
【図１】
0003777117.tif 000002
【図２】
0003777117.tif 000003
【図３】
0003777117.tif 000004
【図４】
0003777117.tif 000005
【図５】
0003777117.tif 000006
【図６】
0003777117.tif 000007